【手続補正書】
【提出日】令和1年10月2日(2019.10.2)
【手続補正１】
【補正対象書類名】特許請求の範囲
【補正対象項目名】全文
【補正方法】変更
【補正の内容】
【特許請求の範囲】
【請求項１】
ワイヤレス通信デバイスであって、
特定の時間および周波数リソースを介してワイヤレス送信を受信するように適合された受信回路であって、前記ワイヤレス送信は、直交ワイヤレス通信に関連付けられる第1のタイプの変調を採用した前記特定の時間および周波数リソース上の第1のワイヤレスデバイスからの第1のデータ信号と、非直交アンダーレイワイヤレス通信に関連付けられる第2のタイプの変調を採用した前記特定の時間および周波数リソース上の第2のワイヤレスデバイスからの第2のデータ信号とを含み、前記第2のデータ信号は、前記第1のワイヤレスデバイスからの前記第1のデータ信号よりも持続時間のおいて長い、受信回路と、
前記ワイヤレス送信を獲得するために前記受信回路に結合されたデコーダであって、前記第1のデータ信号および前記第2のデータ信号を復号するように適合されている、デコーダと、を備えるワイヤレス通信デバイス。
【請求項２】
前記第1のデータ信号は、直交ワイヤレス通信に関連付けられる前記第1のタイプの変調のために直交周波数分割多重化(OFDM)変調を採用し、
前記第2のデータ信号は、非直交アンダーレイワイヤレス通信に関連付けられる前記第2のタイプの変調のために符号分割多重化(CDM)変調を採用する、請求項1に記載のワイヤレス通信デバイス。
【請求項３】
前記第1のデータ信号および第2のデータ信号は、シンボルレベル同期型またはシンボルレベル非同期型のいずれかである、請求項1に記載のワイヤレス通信デバイス。
【請求項４】
前記第1のデータ信号および第2のデータ信号は、送信時間間隔(TTI)レベル同期型またはTTIレベル非同期型のいずれかである、請求項1に記載のワイヤレス通信デバイス。
【請求項５】
前記受信回路は、前記第1のデータ信号と直交多重化された第3のワイヤレスデバイスからの第3のデータ信号をさらに受信する、請求項1に記載のワイヤレス通信デバイス。
【請求項６】
前記第2のデータ信号に関連付けられる送信電力は、前記第1のデータ信号に関連付けられる送信電力よりも低い、請求項1に記載のワイヤレス通信デバイス。
【請求項７】
前記第1のデータ信号および前記第2のデータ信号を復号するように適合された前記デコーダは、
前記第2のデータ信号を雑音として扱いつつ前記第1のデータ信号を復号し、
前記ワイヤレス送信から前記復号された第1のデータ信号を差し引き、
前記第1のデータ信号のない前記ワイヤレス送信から前記第2のデータ信号を復号するように適合された前記デコーダを含む、請求項1に記載のワイヤレス通信デバイス。
【請求項８】
ワイヤレス通信デバイス上で動作可能な方法であって、
特定の時間および周波数リソースブロックを介してワイヤレス送信を受信するステップであって、前記ワイヤレス送信は、直交ワイヤレス通信に関連付けられる第1のタイプの変調を採用した前記特定の時間および周波数リソース上の第1のワイヤレスデバイスからの第1のデータ信号と、非直交ワイヤレス通信に関連付けられる第2のタイプの変調を採用した前記特定の時間および周波数リソース上の第2のワイヤレスデバイスからの第2のデータ信号とを含み、前記第2のデータ信号は、前記第1のワイヤレスデバイスからの前記第1のデータ信号よりも持続時間のおいて長い、ステップと、
前記第1のデータ信号および前記第2のデータ信号を復号するステップと、を含む方法。
【請求項９】
前記第1のデータ信号は、直交ワイヤレス通信に関連付けられる前記第1のタイプの変調のために直交周波数分割多重化(OFDM)変調を採用し、
前記第2のデータ信号は、非直交アンダーレイワイヤレス通信に関連付けられる前記第2のタイプの変調のために符号分割多重化(CDM)変調を採用する、請求項8に記載の方法。
【請求項１０】
前記第1のデータ信号および第2のデータ信号は、シンボルレベル同期型またはシンボルレベル非同期型のいずれかである、請求項8に記載の方法。
【請求項１１】
前記第1のデータ信号および第2のデータ信号は、送信時間間隔(TTI)レベル同期型またはTTIレベル非同期型のいずれかである、請求項8に記載の方法。
【請求項１２】
前記第1のデータ信号と直交多重化された第3のワイヤレスデバイスからの第3のデータ信号を受信するステップをさらに含む、請求項8に記載の方法。
【請求項１３】
前記第2のデータ信号に関連付けられる送信電力は、前記第1のデータ信号に関連付けられる送信電力よりも低い、請求項8に記載の方法。
【請求項１４】
前記第1のデータ信号および前記第2のデータ信号を復号するステップは、
前記第2のデータ信号を雑音として扱いつつ前記第1のデータ信号を復号するステップと、
前記ワイヤレス送信から前記復号された第1のデータ信号を差し引くステップと、
前記第1のデータ信号のない前記ワイヤレス送信から前記第2のデータ信号を復号するステップと、を含む、請求項8に記載の方法。
【請求項１５】
ワイヤレス通信デバイスであって、
特定の時間および周波数リソースブロックを介してワイヤレス送信を受信するための手段であって、前記ワイヤレス送信は、直交ワイヤレス通信に関連付けられる第1のタイプの変調を採用した前記特定の時間および周波数リソース上の第1のワイヤレスデバイスからの第1のデータ信号と、前記第1のデータ信号よりも持続時間のおいて長い、前記特定の時間および周波数リソース上の第2のワイヤレスデバイスからの第2のデータ信号であって、第2のデータ信号は、非直交ワイヤレス通信に関連付けられる第2のタイプの変調を採用する、第2のデータ信号とを含む、受信するための手段と、
前記第1のデータ信号および前記第2のデータ信号を復号するための手段とを備えるプロセッサ可読記憶媒体。
【請求項１６】
前記第1のデータ信号は、直交ワイヤレス通信に関連付けられる前記第1のタイプの変調のために直交周波数分割多重化(OFDM)変調を採用し、
前記第2のデータ信号は、非直交アンダーレイワイヤレス通信に関連付けられる前記第2のタイプの変調のために符号分割多重化(CDM)変調を採用する、請求項15に記載のワイヤレス通信デバイス。
【請求項１７】
前記第1のデータ信号と直交多重化された第3のワイヤレスデバイスからの第3のデータ信号を受信するための手段をさらに備える、請求項15に記載のワイヤレス通信デバイス。
【請求項１８】
前記第2のデータ信号に関連付けられる送信電力は、前記第1のデータ信号に関連付けられる送信電力よりも低い、請求項15に記載のワイヤレス通信デバイス。
【請求項１９】
前記第1のデータ信号および前記第2のデータ信号を復号するための手段は、
前記第2のデータ信号を雑音として扱いつつ第1のデータ信号を復号するための手段と、
前記ワイヤレス送信から前記復号された第1のデータ信号を差し引くための手段と、
前記第1のデータ信号のない前記ワイヤレス送信から前記第2のデータ信号を復号するための手段と、を含む、請求項15に記載のワイヤレス通信デバイス。
【請求項２０】
処理回路に、
特定の時間および周波数リソースブロックを介してワイヤレス送信を受信することであって、前記ワイヤレス送信は、直交ワイヤレス通信に関連付けられる第1のタイプの変調を採用した前記特定の時間および周波数リソース上の第1のワイヤレスデバイスからの第1のデータ信号と、前記第1のデータ信号よりも持続時間のおいて長い、前記特定の時間および周波数リソース上の第2のワイヤレスデバイスからの第2のデータ信号であって、第2のデータ信号は、非直交ワイヤレス通信に関連付けられる第2のタイプの変調を採用する、第2のデータ信号とを含む、受信することと、
前記第1のデータ信号および前記第2のデータ信号を復号することとを行わせるためのプロセッサ実行可能プログラミングを記憶するプロセッサ可読記憶媒体。
【請求項２１】
前記第1のデータ信号は、直交ワイヤレス通信に関連付けられる前記第1のタイプの変調のために直交周波数分割多重化(OFDM)変調を採用し、
前記第2のデータ信号は、非直交アンダーレイワイヤレス通信に関連付けられる前記第2のタイプの変調のために符号分割多重化(CDM)変調を採用する、請求項20に記載のプロセッサ可読記憶媒体。
【請求項２２】
処理回路に、前記第1のデータ信号と直交多重化された第3のワイヤレスデバイスからの第3のデータ信号を受信させるためのプロセッサ実行可能プログラミングをさらに備える、請求項20に記載のプロセッサ可読記憶媒体。
【請求項２３】
処理回路に行わせるための前記プロセッサ実行可能プログラミングは、処理回路に、
前記第2のデータ信号を雑音として扱いつつ前記第1のデータ信号を復号させ、
前記ワイヤレス送信から前記復号された第1のデータ信号を差し引かせ、
前記第1のデータ信号のない前記ワイヤレス送信から前記第2のデータ信号を復号させるためのプロセッサ実行可能プログラミングを含む、請求項20に記載のプロセッサ可読記憶媒体。
【請求項２４】
ワイヤレス通信デバイスであって、
非直交ワイヤレス通信に関連付けられる第1のタイプの変調を利用するとともに第1の復号タイムラインを示す送信のためのデータを符号化するように適合されたエンコーダと、
前記非直交ワイヤレス通信に関連付けられる前記変調を利用して前記データを第1のデータ信号として送信するために前記エンコーダに結合された送信回路とを備え、
前記第1のデータ信号は、第2のワイヤレス通信デバイスからの第2のデータ信号のためにスケジュールされた時間および周波数リソースブロックの少なくとも一部分を介して送信され、前記第2のデータ信号は、直交ワイヤレス通信に関連付けられる第2のタイプの変調を利用するとともに第2の復号タイムラインを示し、前記第1のデータ信号のための前記第1の復号タイムラインは、前記第2のデータ信号のための前記第2の復号タイムラインよりも長い、ワイヤレス通信デバイス。
【請求項２５】
前記送信回路は、前記第1のタイプの変調のための符号分割多重化(CDM)変調を利用する前記第1のデータ信号を送信し、
前記第2のワイヤレス通信デバイスからの前記第2のデータ信号は、前記第2のタイプの変調のための直交周波数分割多重化(OFDM)変調を利用する、請求項24に記載のワイヤレス通信デバイス。
【請求項２６】
前記第1のデータ信号は、シンボルレベルまたは送信時間間隔(TTI)レベルのいずれかにおいて前記第2のデータ信号と非同期で送信される、請求項24に記載のワイヤレス通信デバイス。
【請求項２７】
前記第2のワイヤレス通信デバイスからの前記第2のデータ信号のためにスケジュールされた前記時間および周波数リソースの少なくとも一部分を介して前記第1のデータ信号が送信されるという指示を受信するように適合された受信回路をさらに備える、請求項24に記載のワイヤレス通信デバイス。
【請求項２８】
前記第1のデータ信号は、前記第2のデータ信号に関連付けられる電力レベルよりも低い電力レベルで送信される、請求項24に記載のワイヤレス通信デバイス。
【請求項２９】
ワイヤレス通信デバイス上で動作可能な方法であって、
非直交ワイヤレス通信に関連付けられる第1のタイプの変調を利用するとともに第1の復号タイムラインを示す送信のためのデータを符号化するステップと、
前記非直交ワイヤレス通信に関連付けられる第1のタイプの変調を利用する第1のデータ信号として前記データを送信するステップとを含み、前記第1のデータ信号は、第2のワイヤレス通信デバイスからの第2のデータ信号のためにスケジュールされた時間および周波数リソースブロックの少なくとも一部分を介して送信され、前記第2のデータ信号は、直交ワイヤレス通信に関連付けられる第2のタイプの変調を利用するとともに第2の復号タイムラインを示し、前記第1のデータ信号のための前記第1の復号タイムラインは、前記第2のデータ信号のための前記第2の復号タイムラインよりも長い、方法。
【請求項３０】
前記非直交ワイヤレス通信に関連付けられる第1のタイプの変調を利用する前記第1のデータ信号として前記データを送信するステップは、前記第1のタイプの変調のために符号分割多重化(CDM)変調を利用する前記第1のデータ信号としてデータを送信するステップを含み、
前記第2のワイヤレス通信デバイスからの前記第2のデータ信号は、前記第2のタイプの変調のための直交周波数分割多重化(OFDM)変調を利用する、請求項29に記載の方法。
【請求項３１】
前記第2のワイヤレス通信デバイスからの前記第2のデータ信号のためにスケジュールされた前記時間および周波数リソースの少なくとも一部分を介して前記第1のデータ信号を送信するステップは、
シンボルレベルまたは送信時間間隔(TTI)レベルのいずれかにおいて前記第2のデータ信号と非同期で前記第1のデータ信号を送信するステップを含む、請求項29に記載の方法。
【請求項３２】
前記データを符号化するのに先立って、前記第2のワイヤレス通信デバイスからの前記第2のデータ信号のためにスケジュールされた前記時間および周波数リソースの少なくとも一部分を介して前記第1のデータ信号が送信されるという指示を受信するステップをさらに含む、請求項29に記載の方法。
【請求項３３】
前記第2のワイヤレス通信デバイスからの前記第2のデータ信号のためにスケジュールされた前記時間および周波数リソースの少なくとも一部分を介して前記第1のデータ信号を送信するステップは、
前記第2のデータ信号に関連付けられる電力レベルよりも低い電力レベルで前記第1のデータ信号を送信するステップを含む、請求項29に記載の方法。
【請求項３４】
ワイヤレス通信デバイス上で動作可能なワイヤレス通信デバイスであって、
非直交ワイヤレス通信に関連付けられる第1のタイプの変調を利用するとともに第1の復号タイムラインを示す送信のためのデータを符号化するための手段と、
前記非直交ワイヤレス通信に関連付けられる第1のタイプの変調を利用する第1のデータ信号として前記データを送信するための手段とを備え、前記第1のデータ信号は、第2のワイヤレス通信デバイスからの第2のデータ信号のためにスケジュールされた時間および周波数リソースの少なくとも一部分を介して送信され、前記第2のデータ信号は、直交ワイヤレス通信に関連付けられる第2のタイプの変調を利用するとともに第2の復号タイムラインを示し、前記第1のデータ信号のための前記第1の復号タイムラインは、前記第2のデータ信号のための前記第2の復号タイムラインよりも長い、ワイヤレス通信デバイス。
【請求項３５】
前記非直交ワイヤレス通信に関連付けられる第1のタイプの変調を利用する前記第1のデータ信号として前記データを送信するための手段は、前記第1のタイプの変調のために符号分割多重化(CDM)変調を利用する前記第1のデータ信号としてデータを送信するための手段を含み、
前記第2のワイヤレス通信デバイスからの前記第2のデータ信号は、前記第2のタイプの変調のための直交周波数分割多重化(OFDM)変調を利用する、請求項34に記載のワイヤレス通信デバイス。
【請求項３６】
前記第2のワイヤレス通信デバイスからの前記第2のデータ信号のためにスケジュールされた前記時間および周波数リソースの少なくとも一部分を介して前記第1のデータ信号を送信するための手段は、
シンボルレベルまたは送信時間間隔(TTI)レベルのいずれかにおいて前記第2のデータ信号と非同期で前記第1のデータ信号を送信するための手段を含む、請求項34に記載のワイヤレス通信デバイス。
【請求項３７】
前記データを符号化するのに先立って、前記第2のワイヤレス通信デバイスからの前記第2のデータ信号のためにスケジュールされた前記時間および周波数リソースの少なくとも一部分を介して前記第1のデータ信号が送信されるという指示を受信するための手段をさらに備える、請求項34に記載のワイヤレス通信デバイス。
【請求項３８】
前記第2のワイヤレス通信デバイスからの前記第2のデータ信号のためにスケジュールされた前記時間および周波数リソースの少なくとも一部分を介して前記第1のデータ信号を送信するための手段は、
前記第2のデータ信号に関連付けられる電力レベルよりも低い電力レベルで前記第1のデータ信号を送信するための手段を含む、請求項34に記載のワイヤレス通信デバイス。
【請求項３９】
処理回路に、
非直交ワイヤレス通信に関連付けられる第1のタイプの変調を利用するとともに第1の復号タイムラインを示す送信のためのデータを符号化させ、
前記非直交ワイヤレス通信に関連付けられる前記第1のタイプの変調を利用する第1のデータ信号として前記データを送信させるためのプロセッサ実行可能プログラミングを記憶し、前記第1のデータ信号は、第2のワイヤレス通信デバイスからの第2のデータ信号のためにスケジュールされた時間および周波数リソースブロックの少なくとも一部分を介して送信され、前記第2のデータ信号は、直交ワイヤレス通信に関連付けられる第2のタイプの変調を利用するとともに第2の復号タイムラインを示し、前記第1のデータ信号のための前記第1の復号タイムラインは、前記第2のデータ信号のための前記第2の復号タイムラインよりも長い、プロセッサ可読記憶媒体。
【請求項４０】
前記第1のデータ信号は、前記第1のタイプの変調のための符号分割多重化(CDM)変調を利用して送信され、
前記第2のワイヤレス通信デバイスからの前記第2のデータ信号は、前記第2のタイプの変調のための直交周波数分割多重化(OFDM)変調を利用する、請求項39に記載のプロセッサ可読記憶媒体。
【請求項４１】
前記第1のデータ信号は、シンボルレベルまたは送信時間間隔(TTI)レベルのいずれかにおいて前記第2のデータ信号と非同期で送信される、請求項39に記載のプロセッサ可読記憶媒体。
【請求項４２】
前記第1のデータ信号は、前記第2のデータ信号に関連付けられる電力レベルよりも低い電力レベルで送信される、請求項39に記載のプロセッサ可読記憶媒体。
【請求項４３】
ワイヤレス通信デバイスであって、
受信回路と、
前記受信回路に結合された処理回路とを備え、前記処理回路は、
前記受信回路を介して、特定の時間および周波数リソース上でワイヤレス送信を受信することであって、前記ワイヤレス送信は第1のワイヤレスデバイスからの第1のデータ信号と第2のワイヤレスデバイスからのアンダーレイの第2のデータ信号とを含み、前記第1のデータ信号は直交周波数分割多重化(OFDM)変調を採用し、前記アンダーレイの第2のデータ信号は符号分割多重化(CDM)変調を採用する、受信することであって、前記第2のデータ信号は、前記第1のデータ信号よりも持続時間のおいて長い、受信することと、
前記第1のデータ信号および前記アンダーレイの第2のデータ信号を復号することとを行うように適合される、ワイヤレス通信デバイス。
【請求項４４】
ワイヤレス通信デバイスであって、
送信回路と、
前記送信回路に結合された処理回路とを備え、前記処理回路は、
前記送信回路を介して、符号分割多重化(CDM)変調を採用するとともに第1の復号タイムラインを示す第1のデータ信号を送信するように適合され、
前記送信される第1のデータ信号は、特定の時間および周波数リソースの少なくとも一部分において、第2のワイヤレス通信デバイスからの第2のデータ信号と非直交で組み合わせられ、前記第2のデータ信号は、直交周波数分割多重化(OFDM)変調を採用するとともに第2の復号タイムラインを示し、前記第1のデータ信号のための前記第1の復号タイムラインは、前記第2のデータ信号のための前記第2の復号タイムラインよりも長い、ワイヤレス通信デバイス。